(57)【特許請求の範囲】
【請求項１】
壁取合部に桟木を固定しその上に壁取合水切を被せるか、棟部に桟木を固定しその上に棟包を被せるかする繊維強化セメント板等による既存屋根の改修構造に関して、
前記の壁取合水切や棟包の桟木に被せた面と防水板の上面とが同一の平面に近くなるような防水板を、
その既存屋根の壁取合水切や棟包の桟木に被せた面の外方の既存屋根に乗せて固定し、
改修屋根を構成する、壁取合部や棟部においての、雨仕舞い用の部材である防水材としての被覆板と、その被覆板の下面から前記の防水板の上に連続して防水紙を張り、
その防水紙の上に、固定具で固定した裏打材一体成形金属板製屋根板と、前記の被覆板と、それらの間の取付位置を調整し接続可能とする調整板とを施工する事を特徴とする既存屋根の改修構造。
【請求項２】
請求項１記載の既存屋根の改修構造に使用される調整板。
【発明の詳細な説明】
【技術分野】
【０００１】  この発明は、主に、石綿スレート板や石綿含有セメント板等の、石綿含有建材等の、繊維強化セメント板等の改修に使用する、裏打材一体成形金属板製屋根板により被覆する改修工法において、屋根を構成する壁取合部や棟部やケラバ部や谷部の雨仕舞い用の防水材と、屋根板との間を接続可能とする、建材を傷つけず、石綿等が飛散しない、改修工法に関する。【０００２】  従来の、石綿含有建材の改修の技術には、屋根を構成する壁取合部や棟部やケラバ部や谷部の雨仕舞い用の防水材と、屋根板についての明確な記載は見あたらない。
（例えば、特許文献１参照）。
【特許文献１】  特開平９−３１７０８８
【発明の開示】
【発明が解決しようとする課題】
【０００３】  従来、石綿含有建材の改修に、裏打材一体成形金属板製屋根板により被覆する改修工法においては、既存の屋根を構成する壁取合部や棟部やケラバ部や谷部の雨仕舞い用の防水材と、屋根板との間を接続可能とする為に、既存の部材を撤去する事が行われていたが、その撤去の際に、既存の石綿含有建材を傷つけ、石綿等が飛散する問題があった。
【課題を解決するための手段】
【０００４】  この発明は、石綿含有建材の改修に、屋根を構成する壁取合部や棟部やケラバ部や谷部の雨仕舞い用の防水材と、屋根板との間の取付位置を調整し接続可能とする調整板を使用することにより、既存の部材を撤去すること無く施工可能とする、調整板とそれによる改修構造である。
【発明の効果】
【０００５】  この発明による調整板とそれによる改修構造には、次のような効果がある。【０００６】Ａ．主に、石綿スレート板や石綿含有セメント板等の、繊維強化セメント板等による既存屋根を、裏打材一体成形金属板製屋根板により被覆する改修工法に関して、屋根を構成する壁取合部や棟部やケラバ部や谷部の雨仕舞い用の防水材と、屋根板との間の取付位置を調整し接続可能とする調整板とする事により、
ａ．既存の部材を撤去する事が不要となり、
イ．その撤去の際に、既存の建材を傷つけ、石綿等の建材の粉末が飛散する事が無くなった。【０００７】Ｂ．前記の調整板と、既存の屋根版の上に、厚みのある防水板を貼る事により、
ａ．防水板と、既存の部材の上面とが同一平面に近くなり、
イ．調整板の高さ調整の必要性が少なくなり、
ロ．施工性が向上する。【０００８】Ｃ．前記の調整板に折り曲げて、調整板の固定の機能と、屋根板からの雨水の雨返しの機能とを設けることにより、
ａ．屋根板の端部での雨返しの為の、折り曲げ作業が不要になり、
イ．施工性が向上し、
ロ．作業ミスによる雨漏れを、防止可能になる。【０００９】Ｄ．前記の調整板の取付高さを、既存部材の上面に合わせることにより、
ａ．調整板を折り曲げることなく、桟木により挟み込み取付可能になり、
イ．調整板の加工が簡単になり、
ハ．場合によっては、現場での加工が不要となり、
ニ．施工性が向上する。【００１０】Ｅ．前記の調整板の取付を既存の桟木によることにより、
ａ．新たな桟木を省くことにより、
イ．施工手間が減り、
ハ．桟木のスペースを省くことにより、納まりがコンパクトになり、
ニ．意匠性が向上する。【００１１】Ｆ．前記の調整板と、他の調整板との接続機能と、防水材と屋根板との接続機能とを、持つことにより、
ａ．屋根においての、流れ方向に交差する複雑な納まりが、現場加工による折り曲げ加工が不要になり、
イ．施工性か向上し、
ロ．現場加工による折り曲げ加工のバラツキによる、意匠性の低下が防止できて、美観が向上する。【００１２】Ｇ．この発明による改修構造とすることにより、
ａ．石綿含有建材の改修に、建材の傷つきによる、作業中の石綿の飛散を防止可能となり、
ｂ．施工容易となり、
ｃ．施工コストが低下し、
ｄ．既存屋根材を残すことにより、
イ．遮音性能や断熱性能や防水性能が向上し、
ロ．石綿含有廃棄物を出すこともなく、処理費用が不要となり、コストが低下する。
【発明を実施するための最良の形態】
【００１３】Ａ．この発明による金属板は、
ａ．次に代表される塗装金属板や、
イ．塗装亜鉛メッキ鋼板
ロ．塗装アルミニウム亜鉛合金メッキ鋼板
ハ．塗装ステンレス鋼板
ニ．塗装銅板
ホ．塗装アルミニウム合金板
ヘ．合成樹脂シート張り合わせ金属板
ト．塗装チタン・ニッケル合金板
チ．その他の塗装合金鋼等
ｂ．次に代表される無塗装金属板、
イ．亜鉛メッキ鋼板
ロ．アルミニウム亜鉛合金メッキ鋼板
ハ．ステンレス鋼板
ニ．銅板
ホ．アルミニウム合金板等
ヘ．チタン・ニッケル合金板
ト．その他の合金鋼等
ｃ．それらの金属板に深いエンボス加工を加えた金属板
ｄ．エンボス加工の上に塗装した金属板
ｅ．次に代表されるバネ用板
イ．バネ用ステンレス板
ロ．バネ用炭素鋼板
ハ．バネ用銅合金板等を使用する。【００１４】Ｂ．この発明に使用される屋根板や部材の釘打ち固定には、
ａ．次に代表される、固定具を使用し、
イ．セルフドリリングタッピングビス
ロ．釘
ハ．ホッチキス
ニ．木ネジ
ホ．コースレッド等
ｂ．また、ネジは、
イ．セルフドリリングタッピングビス
ロ．木ネジ
ハ．コースレッド等を使用し、【００１５】Ｃ．この発明に使用される発泡合成樹脂等は、
ａ．建築用パネルの裏打材には、
イ．次に代表される発泡合成樹脂に
○硬質発泡ウレタン樹脂
○硬質発泡ヌレート樹脂
○発泡フェノール樹脂
○発泡スチレン樹脂等
ロ．次に代表される裏面材を積層している。
○はり合わせアルミニウム箔
○スチールペーパー
○ポリエチコートクラフト紙
○アルミ蒸着紙
○合成樹脂シート等
ハ．前記の金属板と裏面材との間に、それらの発泡合成樹脂を充填し、主に発泡合成樹脂の自己接着性を利用して、積層している。
ニ．また、裏面材を欠いた発泡合成樹脂のみの、裏打材とする事も可能である。
ｂ．この発明の弾性面戸には、次の弾性体等を使用している。
イ．ゴム系
ロ．合成ゴム系
ハ．合成樹脂系
ｃ．この発明のシーリングには、次に代表される、耐候性のものを使用している。
イ．シリコーン系
ロ．変成シリコーン系等
ｄ．この発明の防水板には、
イ．木材・合板
ロ．低発泡の発泡合成樹脂等が使用され、
ｅ．この発明の防水紙には、
イ．ゴムアスファルトルーフィング
ロ．アスファルトルーフィング
ハ．アスファルトフェルト
ニ．シート防水材等が使用され、
ｄ．粘着性のシートには、
イ．ゴムアスファルトルーフィング
ロ．ブチルゴム系防水シート
ハ．アクリル系防水シート等が使用される。【００１６】  発明の実施例について、次の、実施例１、実施例２、実施例３、実施例４、及び実施例５により、図面を参照して説明する。
【実施例１】
【００１７】  図１，図２，図３，図４，図５，図６，及び図７は、改修屋根５の水上方向の壁取合部５ｅにおける、この発明の実施例１を示すものである。【００１８】Ａ．図５に示す、実施例１においての屋根板１は、
ａ．金属板６による長尺の表面材１ａを成形して、ほぼ平坦な屋根板面１ｂを形成し、
ｂ．その屋根板面１ｂの一側端に、次のような前端面１ｃと差込片１ｄとを形成し、
イ．表面材１ａをくの字形に裏面側に折り曲げて前端面１ｃを形成し、
ロ．その前端面１ｃを、さらに鋭角に裏面側に折り曲げて、そして、先端を表面側に折り返した差込片１ｄを形成し、
ｃ．そして、その屋根板面１ｂの他側端に、次のような嵌合片１ｆと嵌合溝１ｅと釘打片１ｇとを形成し、
イ．屋根板面１ｂを、表面側にＵ字形に折り曲げて、嵌合溝１ｅを形成し、
ロ．その嵌合溝１ｅを裏面側に折り返して、嵌合片１ｆを形成し、
ハ．その嵌合片１ｆを裏面側に鈍角のクランク状に折り曲げて、先端を表面側に折り返し、途中に裏面側に開口する断面半円形の突起を持つ、釘打片１ｇを形成し、
ｄ．次に、その成形した表面材１ａの裏面側に、
イ．前端面１ｃと屋根板面１ｂとの屈曲部から、嵌合溝１ｅ側の側端に亘る間を、裏面材１ｊにより覆った、発泡合成樹脂７による次のような裏打材１ｉを形成し、
ロ．その裏打材１ｉの幅方向の断面は、屋根板面１ｂを底辺とし、その頂点が差込片１ｄ側によった薄い三角形に形成し、
ｅ．それらの表面材１ａと裏打材１ｉとを切断して、長手方向の両端に切断端１ｈを形成している。【００１９】Ｂ．図６に示す、実施例１の調整板２は、
ａ．長尺の金属板６を成形して、
ｂ．ほぼ平坦な、調整面２ａの一側端を裏面側にくの字形に折り曲げて、前側面２ｃを形成し、
ｃ．その前側面２ｃを鋭角に裏面側に折り曲げて、その先端を裏面側に折り返した、挿入片２ｄを形成した、調整板２として施工現場に供給され、
ｄ．その施工現場に合わせて、その調整面２ａの他側部を幅切りし、さらに、くの字形に表面側に折り曲げて、固定片２ｅを形成する。【００２０】Ｃ．図７に示す、実施例１の防水材３の一種である被覆板３ａは、
ａ．長尺の金属板６を成形して、
ｂ．ほぼ平坦な、被覆面３ｂの一側端を裏面側にＬ字形に折り曲げて、固定面３ｃを形成し、
ｃ．その固定面３ｃをＬ字形に表面側に折り曲げて、その先端を裏面側に折り返した、屋根当片３ｄを形成し、
ｄ．その被覆面３ｂの他側部を、くの字形に表面側に折り曲げて、壁当片３ｅを形成し、
ｅ．その壁当片３ｅを裏面側に折り曲げて、壁当爪３ｆを形成している。【００２１】Ｄ．図８に示す、実施例１の弾性面戸７ｂは、
ａ．軟質の発泡合成樹脂７を成形して、
ｂ．ほぼ正方形の断面を形状に形成した弾性面戸７ｂの一側面に、粘着テープ７ｃをはりつけている。【００２２】
Ｅ．図４に示す、実施例１の既存屋根５ｌは、
ａ．壁下地５ｍの下端から、軒先方向に下がるように傾斜する、屋根下地５ｊに野地板５ｋを張り、
ｂ．その野地板５ｋの上に、次のように屋根版５ａを施工し、
イ．その屋根版５ａは、繊維強化セメント板による、矩形の一長辺に、その長辺を底辺とする二等辺三角形を乗せた、５角形の薄板であり、
ロ．その屋根版５ａの長辺を軒と平行でかつ軒方向に向けて、その短辺を互いに突き当てて、複数並べて釘打ち固定し、
ハ．それらの、屋根版５ａの列の棟側に、他の屋根版５ａの列を重ねると共に、前者の屋根版５ａの短辺の突き当て部に、後者の屋根版５ａの長辺の中央部を合わせて、複数並べて釘打ち固定し、
ニ．それらを繰り返して、互いに重なり合った屋根版５ａにより、屋根下地５ｊを覆う屋根面５ｂを形成し、
ｃ．それらの屋根版５ａの壁下地５ｍとの境目に、桟木５ｉｋを釘打ち固定し、その桟木５ｉｋの上と壁下地５ｍとに渡して、壁取合水切５ｎを施工し、
ｄ．その壁取合水切５ｎの一部に、壁板５ｃの下端部を被せて、壁板５ｃを上方向と左右方向に連結施工して、壁下地５ｍを覆う壁面５ｄを形成している。
【００２３】
Ｆ．図１，図２，及び図３に示す、実施例１の改修屋根５の施工は、
ａ．前記の既存屋根５ｌの屋根面５ｂ上に、次のように、防水板４ａを乗せて釘打ち固定し、
イ．前記の既存屋根５ｌの壁取合水切５ｎに、その防水板４ａの棟側の端部を沿わして、
ｂ．その壁取合水切５ｎの上に、薄い桟木５ｉｕを釘打ち固定し、
ｃ．そして、前記の施工された壁板５ｃの下端部から、薄い桟木５ｉｕと、防水板４ａの上に粘着性の防水紙４を貼り付け、
ｄ．次に、棟方向から施工してきた一連の固定された屋根板１の嵌合溝１ｅに、他の屋根板１の差込片１ｄを差し込み、後者の屋根板１の釘打片１ｇを釘打ち固定し、
ｅ．上記を繰り返し、その嵌合溝１ｅと壁面５ｄとの間のスペースを、屋根板１の施工スペース以下とし、
イ．既存屋根５ｌの屋根面５ｂの上面を、防水板４ａと、防水紙４と、複数の屋根板１により覆い、
ｆ．また、壁面に最も近く施工された屋根板１の嵌合溝１ｅと壁面５ｄとの間のスペースに合わせて、
イ．前記の調整板２の調整面２ａを幅切りし、さらに、くの字形に表面側に折り曲げて、固定片２ｅを形成し、
ロ．その調整板２の挿入片２ｄを、壁面に最も近く施工された屋根板１の嵌合溝１ｅに差し込み、
ハ．その調整板２の固定片２ｅを、壁面５ｄに釘打ち固定し、
ｇ．その調整板２の調整面２ａ上に桟木５ｉａを釘打ち固定し、
イ．その桟木５ｉａに沿って、前記の弾性面戸７ｂを、その粘着テープ７ｃにより、前記の調整板２の調整面２ａに貼り付けて、
ロ．その桟木５ｉａに、前記の被覆板３ａの被覆面３ｂを乗せて、
ハ．その、被覆板３ａの屋根当片３ｄにより、貼り付けられた弾性面戸７ｂを押しつけて潰し、
ニ．その、被覆板３ａの固定面３ｃを、桟木５ｉａの側面に釘打ち固定し、
ホ．その、被覆板３ａの壁当片３ｅを、壁面５ｄに釘打ち固定し、
ヘ．その、被覆板３ａの壁当爪３ｆと壁面５ｄとの間に、シーリング７ａを充填し、改修屋根５を施工する。
【実施例２】
【００２４】  図５，図８，図９，図１０，図１１，図１２，図１３，図１４，及び図１５は、改修屋根５の流れ方向の壁取合部５ｅにおける、この発明の実施例２を示すものである。【００２５】Ａ．図５に示す、実施例２においての屋根板１は、実施例１と同じものである。【００２６】Ｂ．図１３に示す、実施例２の調整板２は、
ａ．調整板２は、細長い金属板６を成形して、
イ．ほぼ平坦な、調整面２ａの一端を裏面側に折り曲げて、前側面２ｃを形成し、
ｂ．その調整面２ａの一側端をＬ字形に表面側に折り曲げて、次のような固定片２ｅを成形し、
イ．その固定片２ｅの幅が、前側面２ｃ側が狭く、反対側が広い台形を呈し、
ロ．その固定片２ｅの端が屋根板１を施工した時に、同一の部分の間に引いた直線と平行に形成し、
ハ．その固定片２ｅの長さは屋根板１を施工した時の、ピッチより長く形成し、
ニ．その調整面２ａの固定片２ｅより延長している部分を、差込隅２ｂとして形成している。【００２７】Ｃ．図１４に示す、実施例２の防水材３の一種である被覆板３ａは、
ａ．長尺の金属板６を成形して、
ｂ．ほぼ平坦な、被覆面３ｂの一側端を裏面側にＬ字形に折り曲げて、固定面３ｃを形成し、
ｃ．その固定面３ｃをＬ字形に表面側に折り曲げて、その先端を裏面側に折り返した、屋根当片３ｄを形成し、
ｄ．その被覆面３ｂの他側部を、Ｌ字形に表面側に折り曲げて、壁当片３ｅを形成し、
ｅ．その壁当片３ｅを裏面側に折り曲げて、壁当爪３ｆを形成している。【００２８】Ｄ．図１５に示す、実施例２の防水材３の他の一種である谷材３ｇは、
ａ．長尺の金属板６を成形して、
ｂ．ほぼ平坦な、谷面３ｈの一側端を表面側に鋭角に折り曲げて、畦片３ｉを形成し、
ｃ．その谷面３ｈの他端をＬ字形に表面側に折り曲げて、その先端を表面側に鋭角に折り曲げた、取付片３ｊを形成している。【００２９】Ｅ．図８に示す、実施例２の弾性面戸７ｂは、実施例１と同じものである。【００３０】
Ｆ．図１２に示す、実施例２の既存屋根５ｌは、
ａ．壁下地５ｍの下端が傾斜して、それが屋根下地５ｊの傾斜に合い、
ｂ．その傾斜する屋根下地５ｊに野地板５ｋを張り、
ｃ．その野地板５ｋと壁下地５ｍとの境目に、桟木５ｉｋを釘打ち固定し、その野地板５ｋと桟木５ｉｋとの上と壁下地５ｍとに渡して、壁捨板水切５ｏを施工し、
ｄ．その壁捨板水切５ｏの一部に、屋根版５ａによる屋根の縁の一部を重ねて、次のように屋根版５ａを施工し、
イ．その屋根版５ａは、繊維強化セメント板による、矩形の一長辺に、その長辺を底辺とする二等辺三角形を乗せた、５角形の薄板であり、
ロ．その屋根版５ａの長辺を軒と平行でかつ軒方向に向けて、その短辺を互いに突き当てて、複数並べて釘打ち固定し、
ハ．それらの、屋根版５ａの列の棟側に、他の屋根版５ａの列を重ねると共に、前者の屋根版５ａの短辺の突き当て部に、後者の屋根版５ａの長辺の中央部を合わせて、複数並べて釘打ち固定し、
ニ．それらを繰り返して、互いに重なり合った屋根版５ａにより、屋根下地５ｊを覆う屋根面５ｂを形成し、
ｅ．それらの屋根版５ａの壁下地５ｍとの境目に、桟木５ｉｋを釘打ち固定し、その桟木５ｉｋの上と壁下地５ｍとに渡して、壁取合水切５ｎを施工し、
ｆ．その壁取合水切５ｎの一部に、壁板５ｃの下端部を被せて、壁板５ｃを上方向と左右方向に連結施工して、壁下地５ｍを覆う壁面５ｄを形成している。
【００３１】
Ｇ．図９，図１０，及び図１１に示す、実施例２の改修屋根５の施工は、
ａ．前記の既存屋根５ｌの屋根面５ｂ上に、次のように、防水板４ａを乗せて釘打ち固定し、
イ．前記の既存屋根５ｌの壁取合水切５ｎに、その防水板４ａの壁側の端部を沿わして、
ｂ．その壁取合水切５ｎの上に、比較的厚い桟木５ｉａを釘打ち固定し、
ｃ．そして、前記の施工された壁板５ｃの下端部から、厚い桟木５ｉａと、防水板４ａの上に粘着性の防水紙４を貼り付け、
ｄ．次に、その厚い桟木５ｉａに、前記の谷材３ｇを次のように取り付け、
イ．その厚い桟木５ｉａと防水板４ａとの角に、谷材３ｇの谷面３ｈと取付片３ｊとの角を合わせて、
ロ．谷材３ｇの取付片３ｊを、厚い桟木５ｉａの側面に釘打ち固定し、
ｅ．その固定された谷材３ｇに、屋根板１の切断端１ｈを沿わして、次のように施工し、
イ．棟方向から施工してきた一連の固定された屋根板１の嵌合溝１ｅに、他の屋根板１の差込片１ｄを差し込み、後者の屋根板１の釘打片１ｇを釘打ち固定し、
ロ．上記を繰り返し、複数の屋根板１により壁取合部５ｅの範囲を施工し、
ハ．既存屋根５ｌの屋根面５ｂの上面を、防水板４ａと、防水紙４と、複数の屋根板１とにより覆い、
ｆ．そして、施工された屋根板１と谷材３ｇとの角に、次のように複数の調整板２を取り付けし、
イ．前記の調整板２の調整面２ａを、屋根板１の屋根板面１ｂに乗せて、
ロ．調整板２の前側面２ｃを、屋根板１の前端面１ｃに乗せて、
ハ．調整板２の差込隅２ｂを、屋根板１の嵌合溝１ｅと次の屋根板１の差込片１ｄとの隙間に差し込み、
ニ．調整板２の固定片２ｅを、谷材３ｇの取付片３ｊに突き当てて、その取付片３ｊを厚い桟木５ｉａの側面に釘打ち固定し、
ホ．その調整板２の調整面２ａに、前記の弾性面戸７ｂを、その粘着テープ７ｃにより貼り付けて、
ｇ．前記の厚い桟木５ｉａに、前記の被覆板３ａの被覆面３ｂを乗せて、
イ．その、被覆板３ａの屋根当片３ｄにより、貼り付けられた弾性面戸７ｂを押しつけて潰し、
ロ．その、被覆板３ａの固定面３ｃを桟木５ｉａの側面に釘打ち固定し、
ハ．その、被覆板３ａの壁当片３ｅを、壁面５ｄに釘打ち固定し、
ニ．その、被覆板３ａの壁当爪３ｆと壁面５ｄとの間に、シーリング７ａを充填し、改修屋根５を施工する。
【実施例３】
【００３２】  図５，図８，図１６，図１７，図１８，図１９，図２０，及び図２１は、改修屋根５の棟部５ｆにおける、この発明の実施例３を示すものである。【００３３】Ａ．図５に示す、実施例３においての屋根板１は、実施例１と同じものである。【００３４】Ｂ．図２０に示す、実施例３の調整板２は、
ａ．長尺の金属板６を成形して、
ｂ．ほぼ平坦な、調整面２ａの一側端を裏面側にくの字形に折り曲げて、前側面２ｃを形成し、
ｃ．その前側面２ｃを鋭角に裏面側に折り曲げて、その先端を裏面側に折り返した、挿入片２ｄを形成した、調整板２として施工現場に供給され、
ｄ．その施工現場に合わせて、その調整面２ａの他側部を幅切りし、固定片２ｅを形成する。【００３５】Ｃ．図２１に示す、実施例３の防水材３の一種である被覆板３ａは、
ａ．長尺の金属板６を成形して、
ｂ．ほぼ裏面側にくの字形に折れ曲がった、被覆面３ｂの両側端を裏面側にＬ字形に折り曲げて、固定面３ｃを形成し、
ｃ．その固定面３ｃをＬ字形に表面側に折り曲げて、その先端を裏面側に折り返した、屋根当片３ｄを形成している。【００３６】Ｄ．図８に示す、実施例３の弾性面戸７ｂは、実施例１と同じものである。【００３７】
Ｅ．図１９に示す、実施例３の既存屋根５ｌは、
ａ．棟部５ｆから、両軒先方向に下がるように傾斜する、屋根下地５ｊに野地板５ｋを張り、
ｂ．その野地板５ｋの上に、次のように屋根版５ａを施工し、
イ．その屋根版５ａは、繊維強化セメント板による、矩形の一長辺に、その長辺を底辺とする二等辺三角形を乗せた、５角形の薄板であり、
ロ．その屋根版５ａの長辺を軒と平行でかつ軒方向に向けて、その短辺を互いに突き当てて、複数並べて釘打ち固定し、
ハ．それらの、屋根版５ａの列の棟側に、他の屋根版５ａの列を重ねると共に、前者の屋根版５ａの短辺の突き当て部に、後者の屋根版５ａの長辺の中央部を合わせて、複数並べて釘打ち固定し、
ニ．それらを繰り返して、互いに重なり合った屋根版５ａにより、屋根下地５ｊを覆う屋根面５ｂを形成し、
ホ．棟部５ｆにおいて、屋根下地５ｊの長さに合わせて、屋根版５ａを切断し施工し、
ｃ．それらの屋根版５ａの棟部５ｆの両側に、桟木５ｉｋを釘打ち固定し、
ｄ．その両側の桟木５ｉｋに被せて、棟包５ｐの両側を、桟木５ｉｋの側面に、釘打ち固定し施工している。
【００３８】
Ｆ．図１６，図１７，及び図１８に示す、実施例３の改修屋根５の施工は、
ａ．前記の既存屋根５ｌの屋根面５ｂ上に、次のように、防水板４ａを乗せて釘打ち固定し、
イ．前記の既存屋根５ｌの棟包５ｐの両側に、その防水板４ａの棟側の端部を沿わして、
ｂ．そして、前記の施工された両側の防水板４ａから棟包５ｐを越えて、他方の防水板４ａの上に粘着性の防水紙４を貼り付けて、
ｃ．次に、棟方向から施工してきた一連の固定された屋根板１の嵌合溝１ｅに、他の屋根板１の差込片１ｄを差し込み、後者の屋根板１の釘打片１ｇを釘打ち固定し、
ｄ．上記を繰り返し、その嵌合溝１ｅと棟部５ｆとの間のスペースを、屋根板１の施工スペース以下とし、
イ．既存屋根５ｌの屋根面５ｂの上面を、防水板４ａと、防水紙４と、複数の屋根板１とにより覆い、
ｅ．また、棟部５ｆに最も近く施工された屋根板１の嵌合溝１ｅと棟部５ｆとの間のスペースに合わせて、
イ．前記の調整板２の調整面２ａを幅切りして、固定片２ｅを形成し、
ロ．その調整板２の挿入片２ｄを、壁面に最も近く施工された屋根板１の嵌合溝１ｅに差し込み、
ハ．その調整板２の固定片２ｅを、棟包５ｐに釘打ち固定し、
ｆ．その調整板２の調整面２ａ上に桟木５ｉａを釘打ち固定し、
イ．その桟木５ｉａに沿って、前記の弾性面戸７ｂを、その粘着テープ７ｃにより、前記の調整板２の調整面２ａに貼り付けて、
ロ．その桟木５ｉａに、前記の被覆板３ａの被覆面３ｂを乗せて、
ハ．その、被覆板３ａの屋根当片３ｄにより、貼り付けられた弾性面戸７ｂを押しつけて潰し、
ニ．その、被覆板３ａの固定面３ｃを、桟木５ｉａの両側面に釘打ち固定し、改修屋根５を施工する。
【実施例４】
【００３９】  図５，図２２，図２３，図２４，図２５，図２６，及び図２７は、改修屋根５のケラバ部５ｇにおける、この発明の実施例４を示すものである。【００４０】Ａ．図５に示す、実施例４においての屋根板１は、実施例１と同じものである。【００４１】Ｂ．図２６に示す、実施例４の調整板２は、
ａ．金属板６を成形して、
ｂ．ほぼ平坦な、調整面２ａの一側端を裏面側に折り返して、
イ．その調整面２ａの先端を裏面側にくの字形に折り曲げて、前側面２ｃを形成し、
ロ．その前側面２ｃを更に鋭角的に裏面側に折り曲げて、挿入片２ｄを形成し、
ハ．前側面２ｃの反対側の調整面２ａを延長して、差込隅２ｂを形成し、
ｃ．調整面２ａの他側部をＬ字形に裏面側に折り曲げて、固定片２ｅを形成し、
イ．その固定片２ｅの前側面２ｃ側に小円と、反対側に長孔の孔を明けて、固定孔２ｆを形成し、
ロ．その小円と長孔間のピッチは、屋根板１の施工ピッチと合い、調整面２ａからの垂直距離が、長孔の固定孔２ｆの垂直距離に挿入片２ｄの垂直距離を加えたものが、小円の垂直距離となり、
ｄ．また、その固定片２ｅをＬ字形に、二回裏面側に折り曲げて、固定下片２ｇを形成する。【００４２】Ｃ．図２７に示す、実施例４の防水材３の他の一種である谷材３ｇは、
ａ．長尺の金属板６を成形して、
ｂ．ほぼ平坦な、谷面３ｈの一側端を表面側に折り返して、畦片３ｉを形成し、
ｃ．その谷面３ｈの他端をＬ字形に裏面側に折り曲げて、取付面３ｋを形成し、
ｄ．その取付面３ｋを折り返して、更に、谷面３ｈ沿いに、Ｌ字形に表面側に折り曲げて、続けて、Ｌ字形に表面側に折り曲げて、先端を裏面側に鋭角に折り曲げた、取付片３ｊを形成している。【００４３】
Ｄ．図２５に示す、実施例４においての既存屋根５ｌは、
ａ．切妻屋根のケラバ部５ｇで、傾斜する屋根下地５ｊに野地板５ｋを張り、
ｂ．その野地板５ｋから外方にはみ出して、桟木５ｉｋを釘打ち固定し、その野地板５ｋと桟木５ｉｋとに渡して、ケラバ包５ｑを施工し、
ｃ．そのケラバ包５ｑの溝部に、屋根版５ａよる屋根の縁の一部を差し込んで、次のように屋根版５ａを施工し、
イ．その屋根版５ａは、繊維強化セメント板による、矩形の一長辺に、その長辺を底辺とする二等辺三角形を乗せた、５角形の薄板であり、
ロ．その屋根版５ａの長辺を軒と平行でかつ軒方向に向けて、その短辺を互いに突き当てて、複数並べて釘打ち固定し、
ハ．それらの、屋根版５ａの列の棟側に、他の屋根版５ａの列を重ねると共に、前者の屋根版５ａの短辺の突き当て部に、後者の屋根版５ａの長辺の中央部を合わせて、複数並べて釘打ち固定し、
ニ．それらを繰り返して、互いに重なり合った屋根版５ａにより、屋根下地５ｊを覆う屋根面５ｂを形成している。
【００４４】
Ｅ．図２２，図２３，及び図２４に示す、実施例４の改修屋根５の施工は、
ａ．前記の既存屋根５ｌの屋根面５ｂ上に、次のように、防水板４ａを乗せて釘打ち固定し、
イ．前記の既存屋根５ｌのケラバ包５ｑに、その防水板４ａのケラバ部５ｇ側の端部を沿わして、
ｂ．そのケラバ包５ｑの上に、前記の谷材３ｇの谷面３ｈを乗せて、その取付片３ｊをケラバ包５ｑの側面を介して、前記の既存屋根５ｌの桟木５ｉｋに釘打ち固定し、
ｃ．そして、前記の施工された防水板４ａから、谷材３ｇの谷面３ｈの上に粘着性の防水紙４を貼り付け、
ｄ．その固定された谷材３ｇに、屋根板１の切断端１ｈを沿わして、次のように施工し、
イ．棟方向から施工してきた一連の固定された屋根板１の嵌合溝１ｅに、他の屋根板１の差込片１ｄを差し込み、後者の屋根板１の釘打片１ｇを釘打ち固定し、
ロ．上記を繰り返し、
ハ．既存屋根５ｌの屋根面５ｂの上面を防水板４ａと防水紙４と、複数の屋根板１により覆い、
ｆ．そして、施工された屋根板１と谷材３ｇとの角に、次のように複数の調整板２を取り付けし、
イ．前記の調整板２の調整面２ａを、屋根板１の屋根板面１ｂに乗せて、
ロ．調整板２の前側面２ｃを、屋根板１の前端面１ｃに乗せて、その挿入片２ｄを、前の段の調整板２の差込隅２ｂと次の屋根板１の差込片１ｄとの隙間に差し込み、
ハ．調整板２の差込隅２ｂを、屋根板１の嵌合溝１ｅと次の屋根板１の差込片１ｄとの隙間に差し込み、
ニ．調整板２の固定片２ｅの固定孔２ｆを利用して、谷材３ｇの取付面３ｋにドリルにより孔明けて、調整板２と次の調整板２を重ねてに、ブラインドリベット等により固定し、改修屋根５を施工する。
【実施例５】
【００４５】  図５，図２８，図２９，図３０，図３１，図３２，及び図３２は、改修屋根５の谷部５ｈにおける、この発明の実施例５を示すものである。【００４６】Ａ．図５に示す、実施例５においての屋根板１は、実施例１と同じものである。【００４７】Ｂ．図３２に示す、実施例５の調整板２は、
ａ．ほぼ台形の、金属板６を成形して、
ｂ．ほぼ平坦な、底辺に直角な脚と、傾斜する脚による、台形の調整面２ａの短かい上底辺にあたる、一側端を先端を裏面側にくの字形に折り曲げて、前側面２ｃを形成し、
ロ．その前側面２ｃを更に鋭角的に裏面側に折り曲げて、挿入片２ｄを形成し、
ハ．前側面２ｃの反対側にその幅程度で、わずかに表面側に折り曲げた、差込隅２ｂを形成し、
ｃ．調整面２ａの長い底辺の差込隅２ｂに連なる部分に、次のような嵌合隙２ｈと嵌合折片２ｉと固定片２ｅとを形成し、
イ．調整面２ａをＵ字形に表面側に折り曲げて、嵌合隙２ｈを形成し、
ロ．その嵌合隙２ｈを折り返して、嵌合折片２ｉを形成し、
ハ．その嵌合折片２ｉを裏面側に鈍角のクランク状に折り曲げて、先端を表面側に折り返し、途中に裏面側に開口する断面半円形の突起を持つ、固定片２ｅを形成し、
ｄ．また、調整面２ａの傾斜する脚の部分を、くの字形に裏面側に折り曲げて、立下片２ｊを形成し、
イ．その立下片２ｊを、鋭角的に裏面側に折り曲げて、そして、先端を表面側に折り返した、引掛片２ｋを形成する。【００４８】Ｃ．図３３に示す、実施例５の防水材３の他の一種である、谷材３ｇと吊子３ｍは、
ａ．その谷材３ｇは、長尺の金属板６を成形して、
イ．ほぼ表面側に、くの字形に折れ曲がった、谷面３ｈの両側端を表面側に鋭角のクランク状に折り曲げて、畦片３ｉを形成し、
ロ．その畦片３ｉを拡張して、取付片３ｊを形成し、
ハ．その取付片３ｊを、表面側に鋭角に折り曲げて、取付爪３ｌを形成し、
ｂ．吊子３ｍは、細長い金属板６を成形して、
イ．その一端を、裏面側に鋭角に折り曲げて、吊子爪３ｎを形成し、
ロ．他端を表面側に折り返した、固定折片３ｏを形成している。【００４９】Ｄ．図３１に示す、実施例５においての既存屋根５ｌは、
ａ．互いに直交する２箇所の棟部５ｆから、軒先方向に下がるように傾斜し、谷部５ｈにて交差する、屋根下地５ｊに、谷部５ｈにて端部が合うように切断加工した、野地板５ｋを張り、
ｂ．その野地板５ｋの谷部５ｈの上に、谷板５ｒを取り付け具により取り付けて、
ｃ．その野地板５ｋの上に、次のように屋根版５ａを施工し、
イ．その屋根版５ａは、繊維強化セメント板による、矩形の一長辺に、その長辺を底辺とする二等辺三角形を乗せた、５角形の薄板であり、
ロ．その屋根版５ａの長辺を軒と平行でかつ軒方向に向けて、その短辺を互いに突き当てて、複数並べて釘打ち固定し、
ハ．それらの、屋根版５ａの列の谷板５ｒ側には、その、屋根版５ａを谷部５ｈの傾斜に合わせて切断した屋根版５ａを、谷板５ｒに一部重ねて釘打ち固定し、
ニ．それらの、屋根版５ａの列の棟側に、他の屋根版５ａの列を重ねると共に、前者の屋根版５ａの短辺の突き当て部に、後者の屋根版５ａの長辺の中央部を合わせて、複数並べて釘打ち固定し、
ニ．それらを繰り返して、互いに重なり合った屋根版５ａにより、屋根下地５ｊを覆う屋根面５ｂを形成している、【００５０】Ｅ．図２８，図２９，及び図３０に示す、実施例５の改修屋根５の施工は、
ａ．前記の既存屋根５ｌの屋根面５ｂ上に、次のように、防水板４ａを乗せて釘打ち固定し、
イ．前記の既存屋根５ｌの谷板５ｒの両側に、谷部５ｈにて端部が合うように切断加工した防水板４ａを張り、
ｂ．そして、前記の施工された両側の防水板４ａから谷部５ｈを越えて、他方の防水板４ａの上に粘着性の防水紙４を貼り付けて、
ｃ．その防水板４ａの谷部５ｈの防水紙４の上に、谷材３ｇを吊子３ｍにより、次のように取り付けて、
イ．防水板４ａの谷部５ｈの防水紙４の角に、谷材３ｇの谷面３ｈの角を合わせて、
ロ．両側の谷材３ｇの取付爪３ｌと取付片３ｊとの間に、前記の吊子３ｍの吊子爪３ｎを差し込み、
ハ．両側から複数の吊子３ｍにより、屋根下地５ｊに引き付けて、その吊子３ｍの固定折片３ｏを釘打ち固定し、
ｄ．次に、調整板２と屋根板１を、次のように施工し、
イ．棟方向から施工してきた一連の固定された調整板２の嵌合隙２ｈに、他の調整板２の挿入片２ｄを差し込み、
ロ．後者の調整板２の引掛片２ｋを、前記の谷材３ｇの畦片３ｉと谷面３ｈとの間に差し込み、
ハ．棟方向から施工してきた一連の固定された屋根板１の嵌合溝１ｅに、他の屋根板１の差込片１ｄを差し込み、
ニ．また、後者の調整板２の調整面２ａと挿入片２ｄの間に、後者の屋根板１の前端面１ｃを差し込み、
ホ．後者の調整板２の固定片２ｅと、後者の屋根板１の釘打片１ｇとを釘打ち固定し、
ｄ．上記を繰り返し、複数の調整板２と屋根板１とにより、谷部５ｈの範囲の改修屋根５を施工し、
イ．調整板２の棟側の立下片２ｊが、次の段の調整板２の前側面の２ｃと挿入片２ｄとの間に、ほぼ隙間無く覆われる。
【図面の簡単な説明】
【００５１】
【図１】屋根の施工状態を示す一部省略幅方向断面図（実施例１）
【図２】屋根の施工状態を示す一部省略斜視断面図（実施例１）
【図３】屋根の施工状態を示す一部省略斜視断面図（実施例１）
【図４】既存屋根の施工状態を示す一部省略斜視断面図（実施例１）
【図５】屋根板を示す一部省略斜視図（実施例１から５）
【図６】調整板を示す一部省略斜視図（実施例１）
【図７】被覆板を示す一部省略斜視図（実施例１）
【図８】弾性面戸を示す一部省略斜視図（実施例１から５）
【図９】屋根の施工状態を示す一部省略幅方向断面図（実施例２）
【図１０】屋根の施工状態を示す一部省略斜視断面図（実施例２）
【図１１】屋根の施工状態を示す一部省略斜視断面図（実施例２）
【図１２】既存屋根の施工状態を示す一部省略斜視断面図（実施例２）
【図１３】調整板を示す斜視図（実施例２）
【図１４】被覆板を示す一部省略斜視図（実施例２）
【図１５】谷材を示す一部省略斜視図（実施例２）
【図１６】屋根の施工状態を示す一部省略幅方向断面図（実施例３）
【図１７】屋根の施工状態を示す一部省略斜視断面図（実施例３）
【図１８】屋根の施工状態を示す一部省略斜視断面図（実施例３）
【図１９】既存屋根の施工状態を示す一部省略斜視断面図（実施例３）
【図２０】調整板を示す一部省略斜視図（実施例３）
【図２１】被覆板を示す一部省略斜視図（実施例３）
【図２２】屋根の施工状態を示す一部省略幅方向断面図（実施例４）
【図２３】屋根の施工状態を示す一部省略斜視断面図（実施例４）
【図２４】屋根の施工状態を示す一部省略斜視断面図（実施例４）
【図２５】既存屋根の施工状態を示す一部省略斜視断面図（実施例４）
【図２６】調整板を示す斜視図（実施例４）
【図２７】谷材を示す一部省略斜視図（実施例４）
【図２８】屋根の施工状態を示す一部省略断面図（実施例５）
【図２９】屋根の施工状態を示す一部省略斜視断面図（実施例５）
【図３０】屋根の施工状態を示す一部省略斜視断面図（実施例５）
【図３１】既存屋根の施工状態を示す一部省略斜視断面図（実施例５）
【図３２】調整板を示す斜視図（実施例５）
【図３３】谷材を示す一部省略斜視図（実施例５）
【符号の説明】
【００５２】１  屋根板
２  調整板
３  防水材
４  防水紙
５  屋根
６  金属板
７  合成樹脂
【図１】
0005508658.tif 000002
【図２】
0005508658.tif 000003
【図３】
0005508658.tif 000004
【図４】
0005508658.tif 000005
【図５】
0005508658.tif 000006
【図６】
0005508658.tif 000007
【図７】
0005508658.tif 000008
【図８】
0005508658.tif 000009
【図９】
0005508658.tif 000010
【図１０】
0005508658.tif 000011
【図１１】
0005508658.tif 000012
【図１２】
0005508658.tif 000013
【図１３】
0005508658.tif 000014
【図１４】
0005508658.tif 000015
【図１５】
0005508658.tif 000016
【図１６】
0005508658.tif 000017
【図１７】
0005508658.tif 000018
【図１８】
0005508658.tif 000019
【図１９】
0005508658.tif 000020
【図２０】
0005508658.tif 000021
【図２１】
0005508658.tif 000022
【図２２】
0005508658.tif 000023
【図２３】
0005508658.tif 000024
【図２４】
0005508658.tif 000025
【図２５】
0005508658.tif 000026
【図２６】
0005508658.tif 000027
【図２７】
0005508658.tif 000028
【図２８】
0005508658.tif 000029
【図２９】
0005508658.tif 000030
【図３０】
0005508658.tif 000031
【図３１】
0005508658.tif 000032
【図３２】
0005508658.tif 000033
【図３３】
0005508658.tif 000034